(57)【要約】【課題】簡易な機構で任意の波形の超音波を発生させることができる空気調和機を提供する。【解決手段】空気調和機１００は、調和された空気を室内へ送る空調運転を行う空気調和機であって、第１圧電ブザー８２ａと第２圧電ブザー８２ｂと第３圧電ブザー８２ｃとを備える。第１圧電ブザー８２ａは、第１超音波を室内へと照射する。第２圧電ブザー８２ｂは、第２超音波を室内へと照射する。第３圧電ブザー８２ｃは、第３超音波を室内へと照射する。【選択図】        図４
2004308990.tif 000002
【特許請求の範囲】
【請求項１】
調和された空気を室内へ送る空調運転を行う空気調和機であって、
第１超音波を前記室内へと照射する第１超音波照射部（８２ａ，８２ｄ，８２ｇ）と、
第２超音波を前記室内へと照射する第２超音波照射部（８２ｂ，８２ｅ，８２ｈ）と、
を備える空気調和機（１００，２００，３００）。
【請求項２】
前記第１超音波と前記第２超音波とは周波数が異なる、
請求項１に記載の空気調和機（１００，３００）。
【請求項３】
前記第１超音波照射部（８２ａ，８２ｇ）と前記第２超音波照射部（８２ｂ，８２ｈ）とは、それぞれ異なる共振周波数を有する素子である、
請求項２に記載の空気調和機（１００，３００）。
【請求項４】
前記第２超音波照射部（８２ｅ，８２ｈ）は、前記第１超音波照射部（８２ｄ，８２ｇ）から照射される第１超音波に対して所定の位相差を付けて前記第２超音波を照射する、
請求項１から３のいずれかに記載の空気調和機（２００，３００）。
【請求項５】
前記第１超音波の周波数範囲と、前記第２超音波の周波数範囲とは、３０ｋＨｚ以上６０ｋＨｚ以下である、
請求項１から４のいずれかに記載の空気調和機（１００，２００，３００）。
【発明の詳細な説明】
【０００１】
【発明の属する技術分野】
本発明は、空気調和機に関する。
【０００２】
【従来の技術】
空気調和機は、調和された空気を室内へ送風することにより居住者の快適感を向上させている。例えば、エアコンでは、冷風や温風を室内へ送風することにより室内の温度を居住者にとって快適な温度に保つことができる。また、空気清浄機では、導入した空気から塵や埃などの異物を除去した清浄空気を室内へ送風することにより、室内の空気を清浄に保ち居住者の快適感を向上させている。さらに、近年では、調湿機能、脱臭機能、マイナスイオン発生機能などを備えた空気調和機が登場し、室内を居住者にとって快適なものにしている（特許文献１参照）。
【０００３】
ところで、近年、人間の可聴音域である約２０Ｈｚから２０ｋＨｚの範囲を越える高周波成分を含んだ音には、それを除外した音に比べて、人間の快適感を向上させる効果（ハイパーソニック・エフェクト）があるという報告がされている（非特許文献１参照）。ここでは、２６ｋＨｚを超える高周波成分は、それ単独では人間に音として聞こえないにもかかわらず、それを含んだ音は、それを除外した音に比べて、脳波α波ポテンシャルを統計的に有意に増大させるとともに、共存する可聴音をより快適に感受させる効果を持つことが見出されている。α波は、人間が目を閉じ安静にリラックスしているとき等に増大する脳波であることが知られており、ハイパーソニック・エフェクトにより人間の快適感が向上すると考えられている。
【０００４】
このような、２０ｋＨｚ以上の人間の可聴音域を越える高周波成分を含んだ音は、自然環境に多く含まれているが、コンクリート等に囲まれた室内の空間ではほとんど存在しない。従って、上述した空気調和機による空気調和の対象となる室内空間においては、そのような音はほとんど存在せず、ハイパーソニック・エフェクトによる快適感の向上は、ほとんど期待できない。
【０００５】
そこで本願出願人は、先に出願した特願２００２−０８９１４９号特許出願において示されている空気調和機を案出している。この出願にかかる空気調和機は、２０ｋＨｚ以上の超音波を発生させる超音波発生器を備える空気調和機である。このような空気調和機により超音波を室内に発生させれば、居住者の快適感をさらに向上させることができる。
【０００６】
【特許文献１】
特開２００２−０６１８６４号公報
【０００７】
【非特許文献１】
大橋ら、「ハイパーソニック・エフェクトについて」、電子情報通信学会技術研究報告、ｓｐ９６−１１２（１９９７−０２）
【０００８】
【発明が解決しようとする課題】
上記のような空気調和機において発生させる超音波は、できるだけ自然環境音に含まれる高周波成分に近似していることが望ましい。しかし、自然環境音に含まれる高周波成分は複雑な波形を有するものである。このため、自然環境音に含まれる高周波成分に近似した超音波を人工的に発生させることは困難である。例えば、自然環境音と同等の広帯域の超音波を人工的に発生させることは困難である。
【０００９】
本発明の課題は、簡易な機構で任意の波形の超音波を発生させることができる空気調和機を提供することにある。
【００１０】
【課題を解決するための手段】
請求項１に記載の空気調和機は、調和された空気を室内へ送る空調運転を行う空気調和機であって、第１超音波照射部と第２超音波照射部とを備える。第１超音波照射部は、第１超音波を室内へと照射する。第２超音波照射部は、第２超音波を室内へと照射する。
【００１１】
この空気調和機では、第１超音波照射部から照射される第１超音波と、第２超音波照射部から照射される第２超音波とを合成して室内へと照射することができる。これにより、この空気調和機では、簡易な機構で任意の波形の超音波を発生させることができる。
請求項２に記載の空気調和機は、請求項１に記載の空気調和機であって、第１超音波と第２超音波とは周波数が異なる。
【００１２】
この空気調和機では、周波数の異なる第１超音波と第２超音波とを合成して室内へと照射することができる。このため、一つの超音波照射部によって超音波を照射する場合よりも、より広帯域の超音波を合成することができる。これにより、この空気調和機では、簡易な機構で広帯域の超音波を発生させることができる。
【００１３】
請求項３に記載の空気調和機は、請求項２に記載の空気調和機であって、第１超音波照射部と第２超音波照射部とは、それぞれ異なる共振周波数を有する素子である。
この空気調和機では、第１超音波照射部と第２超音波照射部とは、それぞれ異なる共振周波数を有する素子である。このため、第１超音波照射部と第２超音波照射部とから簡易に周波数の異なる第１超音波と第２超音波とを照射することができる。これにより、この空気調和機では、簡易な機構で広帯域の超音波を発生させることができる。
【００１４】
請求項４に記載の空気調和機は、請求項１から３のいずれかに記載の空気調和機であって、第２超音波照射部は、第１超音波照射部から照射される第１超音波に対して所定の位相差を付けて第２超音波を照射する。
この空気調和機では、位相差を有する第１超音波と第２超音波とが室内へと照射される。このため、一つの超音波照射部によって超音波を照射する場合よりも、より高密度の超音波を合成することができる。これにより、この空気調和機では、簡易な機構で高密度の超音波を発生させることができる。
【００１５】
請求項５に記載の空気調和機は、請求項１から４のいずれかに記載の空気調和機であって、第１超音波の周波数範囲と、第２超音波の周波数範囲とは、３０ｋＨｚ以上６０ｋＨｚ以下である。
この空気調和機では、３０ｋＨｚ以上６０ｋＨｚ以下の周波数範囲の第１超音波と第２超音波とが室内へと照射される。この周波数範囲は、人に癒しを与える効果が高い。このため、この空気調和機では、人に癒しをより効果的に与えることができる。
【００１６】
【発明の実施の形態】
＜第１実施形態＞
［空気調和機の概要］
図１に、本発明の一実施形態が採用された空気調和機１００を示す。
この空気調和機１００は、冷暖房や調湿が行われた調和空気を室内へ送る空調運転を行う装置である。
【００１７】
空気調和機１００は、室内の壁面等に取り付けられる室内機１と、室外に設置される室外機２とを備えている。室外機２には、室外熱交換器、室外ファン、電装品等がケーシングに収納されている（図示せず）。室内機１には、室内熱交換器が収納されており、室内熱交換器と室外熱交換器は、冷媒配管で接続されることにより冷媒回路を構成している。
【００１８】
［室内機の構成］
室内機１の外観を図２および図３に示す。図２は室内機１の正面図であり、図３は室内機１の側面図である。室内機１は、室内機ケーシング３、室内ファン４、室内ファンモータ４０（図４参照）、室内熱交換器５、電装品ユニット６、超音波発生ユニット８を有している。
【００１９】
〈室内機ケーシング〉
室内機１の室内機ケーシング３は、主として、室内機１の前方正面から上面、下面および側面を覆う前面パネル１０と、後方に位置する底フレーム１１とから構成されている。前面パネル１０の上面には多数のスリット状の開口からなる吸込み口１２が設けられている。また、前面パネル１０の前面下部には、調和された空気が吹き出す吹出し口１３が形成される。また、前面パネル１０は、室内機１の前面を覆う前面部分１４を有している。
【００２０】
〈室内ファンおよび室内熱交換器〉
室内ファン４は、室内ファンモータ４０によって回転駆動され、吸込み口１２から室内機ケーシング３の内部に取り込まれ室内熱交換器５を通り吹出し口１３から室内へと吹き出す空気の流れを生成する。室内ファン４は、細長い円筒形状を有しており、長手方向に長い形状となっている。室内ファン４は、回転軸が室内機１の長手方向に平行になるように配置されており、側面視において室内機ケーシング３の内部の中央付近に配置される。
【００２１】
室内熱交換器５は、通過する空気との間で熱交換を行う。室内熱交換器５は、略逆Ｖ字型の側面断面形状を有しており、室内ファン４の前方、上方、後方の上部を覆うように配置されている。
〈電装品ユニット〉
電装品ユニット６は、室内機１の長手方向に長い形状を有しており、室内機ケーシング３の前面部分１４の下部内側であって吹出し口１３の上側近傍に設けられている。電装品ユニット６は、本体マイコン６０等の制御部品を搭載するプリント基板と、プリント基板を収容する電装品箱とを有している。電装品ユニット６に収容される本体マイコン６０は、図４に示すように、後述する超音波用マイコン８０と共に空気調和機１００の制御を行う制御部９を構成する。本体マイコン６０は、室内ファンモータ４０、室内温度サーミスタなどの各種のセンサ６１、室外機２内の電装品２０、後述するリモコンからの信号を受信する入力ポート６２等と接続され、空気調和機１００の冷暖房や調湿などの空気調和機能の制御や超音波発生ユニット８の制御等を行う。
【００２２】
〈超音波発生ユニット〉
超音波発生ユニット８は、癒しの超音波を発生させ室内へと照射する装置である。癒しの超音波は、有意的にα波を増大させ人にリラクゼーション効果を与える特性を有する超音波である。
超音波発生ユニット８は、図２に示すように、電装品ユニット６に隣接して配置されており、正面視において電装品ユニット６の左側に配置されている。また、電装品ユニット６および超音波発生ユニット８は、図３に示すように、前面部分１４の下部の裏側に面して配置されており、前面部分１４の下部と室内熱交換器５との間に位置している。そして、超音波発生ユニット８は、超音波の発信方向が、室内機１の前方であってやや下方を向くように配置されている。
【００２３】
超音波発生ユニット８の構成を図４に示す。この超音波発生ユニット８は、主として、超音波用マイコン８０、増幅器８１、複数の圧電ブザー８２ａ，８２ｂ，８２ｃ、メモリ８３等により構成されている。
超音波用マイコン８０は、所定の超音波周波数の信号を発振する発振回路８４を有する。また、超音波用マイコン８０は、上述したように本体マイコン６０と接続されており、本体マイコン６０から超音波機能のオン・オフの制御や癒しの超音波と目覚めの超音波との選択の制御などを受ける。
【００２４】
増幅器８１は、超音波用マイコン８０と接続されており、超音波用マイコン８０から入力された超音波周波数の信号の電圧を増幅して出力する。
圧電ブザー８２ａ，８２ｂ，８２ｃは、増幅器８１により増幅された信号を超音波に変換する。圧電ブザー８２ａ，８２ｂ，８２ｃは、発音体に交流電圧を印加することにより発音体を振動させ、音波を発生させる素子である。この圧電ブザー８２ａ，８２ｂ，８２ｃに、超音波周波数の電圧を印加すると、発音体が超音波周波数で振動して超音波が発生する。圧電ブザー８２ａ，８２ｂ，８２ｃは、室内機１の吹出し口１３の上部に配置されており、発生させた超音波を室内へと送る。圧電ブザー８２ａ，８２ｂ，８２ｃには、第１圧電ブザー８２ａ、第２圧電ブザー８２ｂ、第３圧電ブザー８２ｃがあり、図５に示すように、３つの圧電ブザー８２ａ，８２ｂ，８２ｃが水平面内で少しずつその設置角度が変わるように異なる方向へ向けて配置されている。ここで、図５は、図２における室内機１のＶ−Ｖ断面図において、圧電ブザー８２ａ，８２ｂ，８２ｃの配置を模式的に表したものである。第１圧電ブザー８２ａ、第２圧電ブザー８２ｂ、第３圧電ブザー８２ｃはそれぞれ異なる共振周波数を有している。第１圧電ブザー８２ａは第１超音波を照射し、第２圧電ブザー８２ｂは第２超音波を照射し、第３圧電ブザー８２ｃは第３超音波を照射する。第１超音波、第２超音波、第３超音波は、主要な周波数帯がそれぞれ異なる。また、第１超音波、第２超音波、第３超音波は同一波形を有する。
【００２５】
なお、超音波発生ユニット８は、空気調和機１００の他の装置とは別にユニット化されている。すなわち、超音波発生ユニット８は、本体マイコン６０を含む電装品ユニット６とは別体とされ、超音波用マイコン８０と本体マイコン６０とがコネクタ９０により接続されている。このように、超音波発生ユニット８はユニット化されているため、超音波発生機能を有しない既存の空気調和機にユニット化した超音波発生ユニット８を後付で取り付けることができ、安価かつ簡易に超音波機能を付加することができる。
【００２６】
〈超音波の波形〉
この空気調和機１００では、癒しの超音波が室内へと照射される。癒しの超音波は上述したように第１圧電ブザー８２ａ、第２圧電ブザー８２ｂ、第３圧電ブザー８２ｃからそれぞれ発生した超音波が組み合わさったものである。
癒しの超音波では、周波数は、３０ｋＨｚ以上６０ｋＨｚ以下の範囲でランダムに変化する。この３０ｋＨｚ以上６０ｋＨｚ以下の周波数は自然界の音に含まれる成分に近いものである。また、時間間隔は１０ｍｓｅｃ以下の範囲で１／ｆゆらぎで変化する。音圧レベルは約４０ｄＢで一定である。
【００２７】
なお、上記の「時間間隔」は、周波数変化の時間間隔であり、ある周波数の超音波が次の周波数に変化するまでの時間の範囲と変化の仕方とを示す。「音圧レベル」は、照射される超音波の発生源から１ｍ離れた位置での音圧を示す。
また、この空気調和機１００では、超音波発生ユニット８から発生する癒しの超音波の１／ｆゆらぎに合わせて、室内へ送風される空気の風量または風速に１／ｆゆらぎを与える。また、癒しの超音波のゆらぎは、送風のゆらぎと同期している。以上のゆらぎ制御では、超音波用マイコン８０をソフトウェアにより制御し、発生させる癒しの超音波の周波数変化の時間間隔に１／ｆゆらぎを与えるように制御を行う。
【００２８】
〈リモコン〉
この空気調和機１００は、リモコン７をさらに備えている。リモコン７は、空気調和機１００の制御信号を送信することにより、冷暖房や調湿などの空気調和機能や超音波発生ユニット８の超音波発生機能を操作することができる。
リモコン７は、図６に示すように、リモコン本体７０、出力ポート７１、液晶画面７２、操作ボタン７３を備えている。
【００２９】
出力ポート７１は、リモコン本体７０の上端に設けられており、空気調和機１００に設けられた入力ポート６２へ制御信号を送信する。
液晶画面７２は、リモコン７の前面に設けられている。液晶画面７２には、操作内容の表示画面や、設定温度、設定湿度、風量、超音波機能の設定などの各種設定画面が表示される。
【００３０】
操作ボタン７３は、リモコン７の前面であって、液晶画面７２の下方に設けられている。居住者は、操作ボタン７３を押すことにより、空気調和機本体や超音波発生ユニット８の制御内容の選択を行うことができる。操作ボタン７３には、運転・停止ボタン７３ａ、冷房ボタン７３ｂ、暖房ボタン７３ｃ、除湿ボタン７３ｄ、加湿ボタン７３ｅ、矢印ボタン７３ｆ、いやしボタン７３ｇがある。居住者は、これらのボタンを押すことにより、各種の操作を行うことができる。特に、いやしボタン７３ｇを押すことにより、癒しの超音波の発生のオン又はオフを簡単に選択することができる。
【００３１】
なお、タッチパネル方式の液晶画面を採用することにより、操作ボタン７３に代えて、液晶画面上に現れるボタン上の表示を押すことにより、各種の操作を行っても良い。
［特徴］
（１）
人に癒しを与える超音波は、できるだけ自然環境音に近い波形であることが望ましい。図７に、草原の音と静かな部屋の音との比較を表すグラフを示す。このグラフでは、横軸が音の周波数を示し、縦軸が音の大きさを示している。このグラフからも分かるように、草原の音と静かな部屋の音とを比較すると、３０ｋＨｚから６０ｋＨｚまでの超音波の周波数帯での音の大きさが異なる。従って、人に癒しを与えるためには、上述したような３０ｋＨｚ以上６０ｋＨｚ以下の範囲に分布する超音波を室内に発生させることが望ましい。しかし、このような広帯域の超音波を発生させることは困難である。
【００３２】
この空気調和機１００では、超音波発生ユニット８は、複数の圧電ブザー８２ａ，８２ｂ，８２ｃを有しており、それぞれ主要な周波数帯の異なる超音波を発信する。従って、主要な周波数帯が異なる複数の超音波が組み合わされて合成されることによって、広帯域の超音波を発生させることが可能である。これにより、この空気調和機１００では、簡易な機構で、自然環境音に近い広帯域の周波数成分を有する超音波を発生させることができる。
【００３３】
（２）
この空気調和機１００では、上記のように、超音波発生ユニット８により、自然環境音に近い癒しの超音波を室内へと照射することができる。また、癒しの超音波は、空気調和機１００の送風音と重なるように発生する。このため、居住者が耳にする音には、可聴音である送風音に加えて、上記の特性を有する癒しの超音波が豊富に含まれることになる。従って、この音を耳にした居住者は、ハイパーソニック・エフェクトによってα波が増大する。α波は、人間がリラックスしているとき等に増大する脳波であり、この空気調和機１００により、居住者にリラックス効果が与えられ、居住者の快適感が向上する。
【００３４】
また、この空気調和機１００では、送風に１／ｆゆらぎを与えると共に、超音波発生ユニット８から発生する超音波の特性にも１／ｆゆらぎを与えている。１／ｆゆらぎは、人の拍動など生体のリズムと同じであるといわれている。自然界には様々なゆらぎがあるが、この生体リズムと同じ１／ｆゆらぎをもつようなもの、例えば、風の動き、樹木の年輪、ろうそくの炎、波の音等は、視覚的にも、聴覚的にも、また触覚的にも人に快適感を与えることが明らかにされている。従って、この空気調和機１００では、居住者へ与えるリラックス効果がより高くなっている。
【００３５】
（３）
この空気調和機１００では、超音波発生ユニット８は複数の圧電ブザー８２ａ，８２ｂ，８２ｃを有している。超音波は指向性を有するが、この空気調和機１００では、複数の圧電ブザー８２ａ，８２ｂ，８２ｃから広い範囲に超音波を照射することができる。このため、この空気調和機１００では、簡易な機構で、超音波を室内の広い範囲へと到達させることができる。
【００３６】
＜第２実施形態＞
［構成］
第２実施形態にかかる空気調和機２００では、超音波発生ユニット８は、図８に示すように、第１圧電ブザー８２ｄ、第２圧電ブザー８２ｅ、第３圧電ブザー８２ｆを有している。超音波用マイコン８０は、第１圧電ブザー８２ｄ、第２圧電ブザー８２ｅ、第３圧電ブザー８２ｆから、位相差を付けて超音波を発信させる。第１圧電ブザー８２ｄは第１超音波を発信し、第２圧電ブザー８２ｅは第２超音波を発信し、第３圧電ブザー８２ｆは第３超音波を発信する。第１超音波、第２超音波、第３超音波は、それぞれ位相差のある同一波形の超音波である。
【００３７】
他の構成については第１実施形態と同様である。
［特徴］
人に癒しを与える超音波は、できるだけ自然環境音に近い波形であることが望ましいことは上述したが、周波数分布について自然環境音と同等のスペクトル密度を有する超音波を人工的に発生させることは困難である。
【００３８】
この空気調和機２００では、第１圧電ブザー８２ｄ、第２圧電ブザー８２ｅ、第３圧電ブザー８２ｆは位相差のある超音波をそれぞれ発信する。このため、図９に示すように、位相差のある第１超音波Ｗ１、第２超音波Ｗ２、第３超音波Ｗ３が組み合わされて合成されることにより、スペクトル密度の高い癒しの超音波Ｗ４が発生する。これにより、この空気調和機２００では、簡易な機構で、自然環境音に近い高密度のスペクトル分布を有する超音波を発生させることができる。
【００３９】
＜第３実施形態＞
［構成］
第３実施形態にかかる空気調和機３００では、超音波発生ユニット８は、図１０に示すように、第１圧電ブザー８２ｇ、第２圧電ブザー８２ｈ、第３圧電ブザー８２ｉを有している。第１圧電ブザー８２ｇ、第２圧電ブザー８２ｈ、第３圧電ブザー８２ｉはそれぞれ異なる共振周波数を有する素子である。また、超音波用マイコン８０は、第１圧電ブザー８２ｄ、第２圧電ブザー８２ｅ、第３圧電ブザー８２ｆから、位相差を付けて超音波を発信させる。従って、第１圧電ブザー８２ｇ、第２圧電ブザー８２ｈ、第３圧電ブザー８２ｉからは、位相差を有し主要な周波数帯の異なる超音波が発信される。
【００４０】
他の構成については第１実施形態と同様である。
［特徴］
この空気調和機３００では、第１圧電ブザー８２ｇ、第２圧電ブザー８２ｈ、第３圧電ブザー８２ｉから、位相差を有し主要な周波数帯の異なる超音波が発信される。そして、これらの超音波が組み合わされて合成されることにより、周波数が広帯域に分布し且つスペクトル密度の高い超音波が発信される。これにより、この空気調和機３００では、簡易な機構で、より自然環境音に近い超音波を発信することができる。
【００４１】
＜他の実施形態＞
（１）
上記の実施形態では、空気調和機１００，２００，３００は、冷暖房や調湿が行われた調和空気を室内へ送風し、室内の空気の調和を行う装置であるが、このような装置に代えて、図１１に示すような空気調和機４００に超音波発生ユニット８を設けても良い。この空気調和機２００は、室内の床面に配置され、塵や埃あるいは臭い等を除去した空気を室内へと吹き出す空気清浄機である。この場合も、超音波を発生させることにより、居住者の快適感を向上させることができる。
【００４２】
また、上記の実施形態の空気調和機１００，２００，３００は、壁掛け型の空気調和機であるが、床置き型であっても良い。このような場合も、超音波を居住者へ到達させることができ、快適感を向上させることができる。
（２）
上記の実施形態では、空気調和機１００，２００，３００は、癒しの超音波の時間間隔を１／ｆのリズムで揺らがせているが、時間間隔だけではなく音圧レベルや周波数を揺らがせてもよい。
【００４３】
（３）
上記の実施形態では、癒しの超音波の音圧レベルは約４０ｄＢであるが、癒しの超音波の音圧レベルはこれに限られるものではなく、４０ｄＢ以下の音圧レベルであればよい。
（４）
上記の第１実施形態では、超音波発生ユニット８は第１圧電ブザー８２ａ、第２圧電ブザー８２ｂ、第３圧電ブザー８２ｃを備えているが、圧電ブザーの個数はこれに限られるものではない。例えば、２つの圧電ブザーや４つ以上の圧電ブザーが備えられてもよい。
【００４４】
また、上記の実施形態では複数の圧電ブザー８２ａ，８２ｂ，８２ｃが設けられているが、超音波発生ユニット８が複数設けられてもよい。また、超音波用マイコン８０や増幅器８１などが複数設けられてもよい。
第２実施形態および第３実施形態についても同様である。
（５）
上記の実施形態では、超音波発生ユニットは、癒しの効果を有する超音波を発生させているが、他の効果を有する超音波を発生させてもよい。例えば、人の覚醒感を増大させる目覚めの超音波を発生させてもよい。この目覚めの超音波では、周波数は、３０ｋＨｚ以上６０ｋＨｚ以下の範囲の所定値であり連続的に一定であることや３０ｋＨｚ以上６０ｋＨｚ以下の範囲でパルス状に変化することが望ましい。また、音圧レベルは、癒しの超音波よりも高く約７０ｄＢで一定であることが望ましい。時間間隔は１０ｍｓｅｃ以下の範囲で一定であり、音圧レベルは約７０ｄＢであることが望ましい。
【００４５】
（６）
上記の第１実施形態では、第１圧電ブザー８２ａ、第２圧電ブザー８２ｂ、第３圧電ブザー８２ｃからそれぞれ同一波形の超音波が発信されているが、別波形の超音波が発信されてもよい。また、第２実施形態にかかる第１圧電ブザー８２ｄ、第２圧電ブザー８２ｅ、第３圧電ブザー８２ｆ、第３実施形態にかかる第１圧電ブザー８２ｇ、第２圧電ブザー８２ｈ、第３圧電ブザー８２ｉについても同様である。
【００４６】
【発明の効果】
請求項１に記載の空気調和機では、第１超音波照射部から照射される第１超音波と、第２超音波照射部から照射される第２超音波とを合成して室内へと照射することができる。これにより、この空気調和機では、簡易な機構で任意の波形の超音波を発生させることができる。
【００４７】
請求項２に記載の空気調和機では、周波数の異なる第１超音波と第２超音波とを合成して室内へと照射することができる。このため、一つの超音波照射部によって超音波を照射する場合よりも、より広帯域の超音波を合成することができる。これにより、この空気調和機では、簡易な機構で広帯域の超音波を発生させることができる。
【００４８】
請求項３に記載の空気調和機では、第１超音波照射部と第２超音波照射部とは、それぞれ異なる共振周波数を有する素子である。このため、第１超音波照射部と第２超音波照射部とから簡易に周波数の異なる第１超音波と第２超音波とを照射することができる。これにより、この空気調和機では、簡易な機構で広帯域の超音波を発生させることができる。
【００４９】
請求項４に記載の空気調和機では、位相差を有する第１超音波と第２超音波とが室内へと照射される。このため、一つの超音波照射部によって超音波を照射する場合よりも、より高密度の超音波を合成することができる。これにより、この空気調和機では、簡易な機構で高密度の超音波を発生させることができる。
請求項５に記載の空気調和機では、３０ｋＨｚ以上６０ｋＨｚ以下の周波数範囲の第１超音波と第２超音波とが室内へと照射される。この周波数範囲は、人に癒しを与える効果が高い。このため、この空気調和機では、人に癒しをより効果的に与えることができる。
【図面の簡単な説明】
【図１】空気調和機の外観図。
【図２】室内機の正面図。
【図３】室内機の側面図。
【図４】空気調和機の制御ブロック図。
【図５】圧電ブザーの配置を示す図。
【図６】リモコンの正面図。
【図７】自然環境音と室内の音との比較を示す図。
【図８】第２実施形態にかかる空気調和機の制御ブロック図。
【図９】位相差を有する超音波の組合せを示す図。
【図１０】第３実施形態にかかる空気調和機の制御ブロック図。
【図１１】他の実施形態にかかる空気調和機の外観図。
【符号の説明】
１００，２００，３００      空気調和機
８２ａ，８２ｄ，８２ｇ        第１圧電ブザー（第１超音波照射部）
８２ｂ，８２ｅ，８２ｈ        第２圧電ブザー（第２超音波照射部）
【図１】
2004308990.tif 000003
【図２】
2004308990.tif 000004
【図３】
2004308990.tif 000005
【図４】
2004308990.tif 000006
【図５】
2004308990.tif 000007
【図６】
2004308990.tif 000008
【図７】
2004308990.tif 000009
【図８】
2004308990.tif 000010
【図９】
2004308990.tif 000011
【図１０】
2004308990.tif 000012
【図１１】
2004308990.tif 000013